(57)【要約】【課題】プロペラファンの近傍に位置するインバータートランス基盤をプロペラファンの角度と周辺の構成によって冷却効率を高め確実な温度保護と耐久性の優れた加熱装置を提供すること。【解決手段】本発明の高周波加熱装置は、非加熱物を収納して加熱する加熱庫４と、機械室内を冷却する為のプロペラファン３と、プロペラファン３を回転駆動させるファンモーター２とその上に保持された高圧電圧を発生させるインバータートランス基盤６と、インバータートランス基盤６を収納保持するプリントベース板７と、高周波を発振させる高周波発振器５が配置されファンモーター２を取り付ける機械室の壁面１が傾斜し、ファンモーター２のプロペラファン３が、インバータートランス基盤６に向けられた角度で保持する冷却構成となるので、インバータートランス基盤６の冷却風の流れがスムーズとなり、冷却効率が良くなる結果となる。【選択図】図１
2011159614.tif 000002
【特許請求の範囲】
【請求項１】
非加熱物を収納して加熱する加熱庫と、機械室内を冷却する為のプロペラファンと、プロペラファンを回転駆動させるファンモーターとその上に保持された高圧電圧を発生させるインバータートランス基盤と、前記インバータートランス基盤を収納保持するプリントベース板と、高周波を発振させる高周波発振器が配置され、前記ファンモーターを取り付ける機械室の壁面が傾斜しファンモーターが傾斜に従って保持され、前記ファンモーターに軸支された前記プロペラファンの角度が前記インバータートランス基盤側に傾けられた冷却構成を特徴とした高周波加熱装置。
【請求項２】
ファンモーターを取り付ける機械室の壁面の傾斜した面とつながる上の斜面が、プロペラファンの回転円弧に添った形状からなる冷却構成を特徴とした、請求項１に記載の高周波加熱装置。
【請求項３】
プロペラファンの回転円弧に添った形状の面に吸入孔の無い、請求項１に記載の高周波加熱装置。
【請求項４】
プロペラファンの下部の底板面に吸入孔を設けた請求項１に記載の高周波加熱装置。
【発明の詳細な説明】
【技術分野】
【０００１】
本発明は、高周波加熱装置の機械室内を冷却するファンモーターの取り付け及び冷却構成に関するものである。
【背景技術】
【０００２】
従来、この種の高周波加熱装置の冷却構成としては、機械室の後ろ面にファンモーターが固定され、それによってプロペラファンが垂直に配置され、プロペラファンの後ろ面に設けられた吸気孔からの吸入によって、機械室を冷却する構成のものが知られている（例えば、特許文献１参照）。
【０００３】
図４は、冷却構成の機械室側面図で、機械室の壁面のウライタ３に設けられたファンモーター１の駆動により、プロペラファン２が回転し、機械室内に冷却風が送風される。プロペラファン２の下には、エアーガイド９が固定され、プロペラファン２で送り出した風が、再び吸引しないようガードされている。
【０００４】
更に、プロペラファン２の近接位置に、高周波発振器４が固定されている。プロペラファン２の上には、高電圧を発生させるインバーター基盤５が、プリントベース板６によって、保持固定されている。インバーター基盤５には、部品を熱伝導によって強制冷却するための放熱フィン８が、プロペラファン２の風向きに対し、縦方向に配置されている。ウライタ３のファンモーター１の取り付け面には、外気を吸入するための開口が、設けられている。
【０００５】
それによって、ファンモーター１の駆動によってプロペラファン２が回転し、ウライタ３の取り付け面の開口より、外気７が機械室内に吸入され、冷却する構成としている。
【先行技術文献】
【特許文献】
【０００６】
【特許文献１】特開平２−２４４５８６号公報
【発明の概要】
【発明が解決しようとする課題】
【０００７】
しかしながら、前記従来の構成では、プロペラファン２の上にインバータートランス基盤５の放熱フィン８が直行に近い状態で位置している。また、放熱フィン８は、断面がくし状のアルミで形成され、放熱させる形状が一般的である。従って、プロペラファン２の回転位置の上に、放熱フィン８が直交状態で位置する状態では、放熱フィン８の中を風が通過しにくく効率的な冷却が困難であった。更に、吸気と排気か近接するため、排気した風を吸引しやすく、その結果、吸気の温度が上昇し、機械室内の温度的不具合が発生しやすいという課題があった。
【０００８】
本発明は、前記従来の課題を解決するもので、プロペラファンの近傍に位置するインバータートランス基盤をプロペラファンの角度と周辺の構成によって冷却効率を高め確実な温度保護と耐久性の優れた加熱装置を提供することを目的とする。
【課題を解決するための手段】
【０００９】
前記従来の課題を解決するために、本発明の高周波加熱装置は、非加熱物を収納して加熱する加熱庫と、機械室内を冷却する為のプロペラファンと、プロペラファンを回転駆動させるファンモーターとその上に保持された高圧電圧を発生させるインバータートランス
基盤と、前期インバータートランス基盤を収納保持するプリントベース板と、高周波を発振させる高周波発振器が配置され、前記ファンモーターを取り付ける機械室の壁面が傾斜し、ファンモーターのプロペラファンがインバータートランス基盤に向けられた角度で保持する冷却構成とした。
【００１０】
これによって、インバータートランス基盤側のプロペラファンの回転円弧の外周位置が、ファンモーターを取り付けた機械室の壁面に接近することになり、その結果、インバータートランス基盤の後方より、冷却風を吹き付けることになる。それによって、放熱フィンの側面より、冷却風を噴きつけることになり、その結果、放熱フィンの中を風が流れることにより、冷却効率を高めることが出来る。更に、機械室の底面のプロペラファン下部に吸気孔を設けることで、より低温の外気を吸引し、機械室を冷却することになる。
【発明の効果】
【００１１】
本発明の高周波加熱装置は、機械室の壁面に設けられたファンモーターの取り付け面に、傾斜を設けファンモーター及びプロペラファンの角度が、上に位置するインバータートランス基盤に向けられた構成からなり、インバータートランス基盤への冷却風の流れがスムーズとなり、結果冷却効率を高めることができる。
【図面の簡単な説明】
【００１２】
【図１】本発明の実施の形態１における高周波加熱装置の側面図
【図２】本発明の実施の形態２における高周波加熱装置の後方斜視図
【図３】本発明の実施の形態３における高周波加熱装置の側面斜視図
【図４】従来の高周波加熱装置の側面図
【発明を実施するための形態】
【００１３】
第１の発明は、非加熱物を収納して加熱する加熱庫と、機械室内を冷却する為のプロペラファンと、プロペラファンを回転駆動させるファンモーターとその上に保持された高圧電圧を発生させるインバータートランス基盤と、前期インバータートランス基盤を収納保持するプリントベース板と、高周波を発振させる高周波発振器が配置され、前記ファンモーターを取り付ける機械室の壁面のファンモーター取り付け面を傾斜し、ファンモーターが傾斜に従って保持された冷却構成を特徴とした。
【００１４】
第２の発明は、特に、第１の発明のファンモーターを取り付ける機械室の壁面の傾斜した面とつながる上の斜面が、プロペラファンの回転円弧に添った形状からなる冷却構成を特徴とし機体外から吸引した冷却風を効率よく押し出す構成とした。
【００１５】
第３の発明は、第２の発明のプロペラファンの回転円弧に添った形状からなる斜面に吸気孔の無い冷却構成を特徴とし、水などがファンモーターにかかるのを防止する安全構成とした。
【００１６】
第４の発明は、第１の発明の機械室のプロペラファン下部に吸気孔を設けた冷却構成を特徴とし温度の低い空気を吸引し機械室を冷却する構成とした。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における高周波加熱装置の側面図を示すものである。
【００１９】
図１において、機械室の壁面１のファンモーター２の取り付け面に角度のある傾斜面を設けたものであり、ファンモーター２及びプロペラファン３の角度をインバータートランス基盤６側に傾けた冷却構成としている。
【００２０】
以上のように構成された高周波加熱装置について、以下その動作、作用を説明する。
【００２１】
まず、非加熱物を収納して加熱する加熱庫４と、機械室内を冷却する為のプロペラファン３と、プロペラファン３を回転駆動させるファンモーター２が、機械室の壁面１に保持固定されている。プロペラファン３に対面する近接位置には、高周波発振器５が固定され、冷却部の開口がプロペラファン３に向けられた方向で、保持固定されている。
【００２２】
更に、プロペラファン３の上には、高電圧を発生させるインバータートランス基盤６と、それを収納保持するプリントベースイタ７が、加熱庫４と機械室の壁面１にて装着されている。プロペラファン３の下はエアーガイド８で仕切られ、プロペラファン３によって押し出された風を、再び吸引しない構成とした。
【００２３】
更に、機械室の壁面１のファンモーター２の取り付け面は、傾斜面９からなる形状としている。それによって、傾斜面９に従ってファンモーター２が取り付けられ、軸支されたプロペラファン３も、インバータートランス基盤６側に傾けた角度で保持される。傾斜面９には、プロペラファン３が回転した際の外気を吸引する開孔が、設けられている。傾斜面９へのファンモーター２の固定に従って、プロペラファン３の上部が、機械室の壁面１に接近する状態で固定保持され、インバータートランス基盤６の後方に、プロペラファン３が位置することになる。
【００２４】
ファンモーター２の駆動によって、プロペラファン３が回転し、ファンモーター２が保持された傾斜面９に設けられた開孔より、外気を吸引される。吸引された冷却風は、プロペラファン３によって押し出されるが、プロペラファン３に対面する高周波発振器５に吹き当たることにより、インバータートランス基盤６側に風が向けられ、冷却される結果となる。
【００２５】
更に、インバーター基盤６の方へプロペラファン３の角度を向けているので、インバータートランス基盤６全体が、効果的に冷却される結果となる。
【００２６】
以上のように、本実施の形態においては、ファンモーター２の保持面である、機械室の壁面１に傾斜面９を設け、ファンモーター２及びプロペラファン３が、インバータートランス基盤６に向けられる構成とすることにより、プロペラファン３から押し出された冷却風が、インバータートランス基盤６の後方より、冷却風を噴きつけることになり、冷却風が、スムーズにインバータートランス基盤６を通過し、冷却効率を高めることになる。
【００２７】
（実施の形態２）
図２は、本発明の第３の実施の形態の機械室の斜視図である。
【００２８】
機械室の壁面１の傾斜面９の上面１３を、プロペラファン１４の円弧と同等の形状からなる。したがって、プロペラファン１４の回転により、傾斜面１２の開孔１５から吸引した外気を、ショートすることなくスムーズに送る結果となる。更に、上面１３には吸気孔の無い構成にしたので、外部から水等を溢した際、充電部であるファンモーターに、水等がかかる不安全を回避できる。以下、実施の形態１の記載方法と同様とする。
【００２９】
（実施の形態３）
図３は機械室のプロペラファン下部に吸気孔２０を設けた冷却構成を特徴とし、プロペ
ラファン２１の回転によって、機械室の後方２２と機械室の底面２３とから冷却するための外気を吸引することになる。その結果、温度の低い外気を吸引し、機械室を冷却することができる。更に、機械室の後面の吸気孔が、障害物によって閉じられた場合においても、底面２３からの吸気があるので、故障を回避することが可能である。以下、実施の形態１と同様とする。
【産業上の利用可能性】
【００３０】
以上のように、本発明にかかる高周波加熱装置は、機械室の壁面に設けられたファンモーターの取り付け面に傾斜を設け、ファンモーター及びプロペラファンの角度が、上に位置するインバーター基盤に向けられた構成からなり、結果、冷却効率を高めることが可能となる。
【符号の説明】
【００３１】
２  ファンモーター
３  プロペラファン
５  高周波発振器
６  インバーター基盤
８  エアーガイド
９  傾斜面
【図１】
2011159614.tif 000003
【図４】
2011159614.tif 000004
【図２】
2011159614.tif 000005
【図３】
2011159614.tif 000006